(57)【特許請求の範囲】
【請求項１】
水を収容するタンクと、黒曜石を収納した岩石収納器との間で水を循環させることを特徴とする活性水素を有する水の製造方法。
【請求項２】
前記岩石収納器の中に収納される前記黒曜石の重量に対して重量比０．００１％以上のアルミニウム，ステンレス，金または銀のうちの少なくとも１つの金属を収納することを特徴とする請求項１に記載の活性水素を有する水の製造方法。
【請求項３】
前記黒曜石を１００°Ｃ以上で加熱したものとすることを特徴とする請求項１又は２に記載の活性水素を有する水の製造方法。
【請求項４】
トルマリンと、黒曜石，真珠岩及び松脂岩のうちの少なくとも１つから成る岩石とを、一方を先に他方を後に通過させた水をタンクに導入して用いることを特徴とする請求項１乃至３のいずれか１項に記載の活性水素を有する水の製造方法。
【請求項５】
前記トルマリンに、アルミニウム，ステンレス及び銀のうちの少なくとも１つから成る金属とを混在させたことを特徴とする請求項４に記載の活性水素を有する水の製造方法。
【請求項６】
前記トルマリンと前記金属との重量比を１０：１〜１：１０としたことを特徴とする請求項５に記載の活性水素を有する水の製造方法。
【請求項７】
トルマリンと、黒曜石，真珠岩及び松脂岩のうちの少なくとも１つから成る岩石を通過させる前に、イオン交換樹脂に水を通過させることを特徴とする請求項４乃至６のいずれか１項に記載の活性水素を有する水の製造方法。
【請求項８】
前記イオン交換樹脂がイオン交換によってナトリウムイオンを発生させることを特徴とする請求項７に記載の活性水素を有する水の製造方法。
【請求項９】
水を収容するタンクと、黒曜石を収納した岩石収納器と、前記タンクから前記岩石収納器に水を導入する導入連絡管と、前記岩石収納器から前記タンクに水を戻す戻し連絡管と、前記導入連絡管の途中に備えるポンプとを有し、前記ポンプによって前記導入連絡管を経由して前記タンクから前記岩石収納器へ水を送ると共に、前記岩石収納器を通過した水を前記戻し連絡管を通して前記タンクに戻して、前記タンクと前記岩石収納器との間で水を循環させることを特徴とする活性水素を有する水の製造装置。
【請求項１０】
前記タンクの上部に水を内部に導入するための導入手段を備え、前記タンクの内部にフロートを備え、そのフロートに前記導入手段からタンクの内部への水の導入と停止を行うためのバルブを備えたことを特徴とする請求項９に記載の活性水素を有する水の製造装置。
【請求項１１】
前記岩石収納器の中に収納される前記黒曜石の重量に対して重量比０．００１％以上のアルミニウム，ステンレス，金または銀のうちの少なくとも１つの金属を収納することを特徴とする請求項９又は１０に記載の活性水素を有する水の製造装置。
【請求項１２】
前記黒曜石を１００°Ｃ以上で加熱したものとすることを特徴とする請求項９乃至１１のいずれか１項に記載の活性水素を有する水の製造装置。
【請求項１３】
トルマリンと、黒曜石，真珠岩及び松脂岩のうちの少なくとも１つから成る岩石とを、一方を先に他方を後に通過させた水をタンクに導入して用いることを特徴とする請求項９乃至１２のいずれか１項に記載の活性水素を有する水の製造装置。
【請求項１４】
前記トルマリンに、アルミニウム，ステンレス及び銀のうちの少なくとも１つから成る金属とを混在させたことを特徴とする請求項１３に記載の活性水素を有する水の製造装置。
【請求項１５】
前記トルマリンと前記金属との重量比を１０：１〜１：１０としたことを特徴とする請求項１４に記載の活性水素を有する水の製造装置。
【請求項１６】
トルマリンと、黒曜石，真珠岩及び松脂岩のうちの少なくとも１つから成る岩石を通過させる前に、イオン交換樹脂に水を通過させることを特徴とする請求項１３乃至１５のいずれか１項に記載の活性水素を有する水の製造装置。
【請求項１７】
前記イオン交換樹脂がイオン交換によってナトリウムイオンを発生させることを特徴とする請求項１６に記載の活性水素を有する水の製造装置。
【発明の詳細な説明】
【０００１】
【発明の属する技術分野】
本発明は、活性酸素を消すための活性水素を有する水の製造方法及び製造装置に関する。
【０００２】
【従来の技術】
体に良い飲料水として、水を電気分解して得るアルカリイオン水が従来から知られている。このアルカリイオン水は、酸性ぎみの人の体を中和させることによって、健康促進の一助となっている。体に良い飲料水としてはその他に、ミネラルウォーターが知られている。
しかし、アルカリイオン水やミネラルウォーターは、それを飲むことによって、病気の回復や体力の回復等に役立つ可能性があるというものではない。
【０００３】
【発明が解決しようとする課題】
最近の研究において、人の病気は人体に活性酸素が大量に蓄積することによって起こることが分かってきた。このため、活性酸素を減らすことが人体の病気を減らすことになるとされている。人体の病気の原因となる活性酸素は活性水素によって消滅するため、活性水素を含む飲料水を飲めば、病気を回復させたり体力の回復させたりする可能性が高いのではないかとする説が、いろいろな研究機関で説が発表されている。
その説の根拠は、ドイツのある地方の湧水（「ノルデの水」と言われている湧水）を飲むと、重病の人が回復した多数の例があり、その湧水と通常の水とを比べて、異なるものが活性水素であるという点に立脚している。
従来から、活性水素を大量に含む水を作る方法も装置も開発されてはいなかった。
【０００４】
本発明はこの点に鑑みてなされたもので、水道水等のような日常の飲料に使用する水を使用して、活性水素を含む飲料水を大量にしかも簡単に製造する方法と装置を提供することを目的とする。
【０００５】
【課題を解決するための手段】
上記目的を達成するために本発明に係る活性水素を有する水の製造方法は、水を収容するタンクと黒曜石を収納した岩石収納器との間で水を循環させるようにしたものである。
【０００６】
上記目的を達成するために本発明に係る活性水素を有する水の製造装置は、水を収容するタンクと、黒曜石を収納した岩石収納器と、前記タンクから前記岩石収納器に水を導入する導入連絡管と、前記岩石収納器から前記タンクに水を戻す戻し連絡管と、前記導入連絡管の途中に備えるポンプとを有し、前記ポンプによって前記導入連絡管を経由して前記タンクから前記岩石収納器へ水を送ると共に、前記岩石収納器を通過した水を前記戻し連絡管を通して前記タンクに戻して、前記タンクと前記岩石収納器との間で水を循環させるようにしたものである。
【０００７】
【発明の実施の形態】
以下、本発明の実施形態を説明する。図１は本発明に係る活性水素を有する水の製造装置の一実施形態を示す構成図である。本発明では主に、タンク１０と、第１岩石収納器１２と、第２岩石収納器１４とを有する。タンク１０と第１岩石収納器１２の間は導入管１６で連結され、第１岩石収納器１２と第２岩石収納器１４との間は中間管１８で連結され、第２岩石収納器１４とタンク１０との間は戻し管２０で連結され、水はタンク１０、第１岩石収納器１２、第２岩石収納器１４、タンク１０‥‥の順に循環するように設定されている。導入管１６はタンク１０の下位と第１岩石収納器１２の上部を連結し、中間管１８は第１岩石収納器１２の下位と第２岩石収納器１４の上部とを連結し、戻し管２０は第２岩石収納器１４の下位とタンク１０上部とを連結する。
【０００８】
タンク１０の上部には、タンク１０の内部へ水を導入するための第一導入手段２２と第二導入手段２４が備えられている。第一導入手段２２としては、水道等と連結するパイプやホースが考えられる。第二導入手段２４としては、例えば容器２６の開口部と嵌合合致する嵌合部材が考えられる。第一導入手段２２の途中にはフィルター２８とバルブ３０が備えられ、第一導入手段２２を介してタンク１０の内部へ水を導入しない場合にはバルブ３０を閉鎖しておく。第二導入手段２４を使用しない場合には、蓋３２で第二導入手段２４を閉鎖する。図１においては、第一導入手段２２と第二導入手段２４を示したが、水の導入形態によっては一方を省略しても良い。
【０００９】
タンク１０内にはフロート３４が備えられ、そのフロート３４には、前記第一導入手段２２を開閉するための第一開閉弁３６と、前記第二導入手段２４を開閉するための第二開閉弁３８とが取り付けられている。第一導入手段２２や第二導入手段２４を開閉する手段としては、フロート３４と第一開閉弁３６と第二開閉弁３８に限るものではない。
タンク１０内に水を所定の満タン位置まで満たして使用する。例えば、第一導入手段２２と第二導入手段２４からタンク１０内へ水を導入できる状態において、水位即ちフロート３４が所定の高さ以下の場合には、第一導入手段２２と第二導入手段２４からタンク１０内へ水が導入される。水位即ちフロート３４が所定の高さになると、第一開閉弁３６によって第一導入手段２２が閉じられ、第二開閉弁３８によって第二導入手段２４が閉じられ、タンク１０内への水の導入が停止される。
【００１０】
タンク１０の下位と第１岩石収納器１２の上部とを連結する導入管１６の途中にはバルブ４０とポンプ４２とが備えられ、バルブ４０を開けてポンプ４２を駆動することによって、タンク１０内の水が第１岩石収納器１２の内部に導入される。ポンプ４２は、タイマー等の制御手段４４によって作動と停止の時間やタイミングを制御する。
タンク１０の下位には、タンク１０の内部の水を取り出すためのバルブ等の取出手段４６が取り付けられている。
【００１１】
図２に示すように、第１岩石収納器１２並びに第２岩石収納器１４の内部には、黒曜石か水晶の少なくとも１つの岩石４８を収納する。岩石４８のうち、黒曜石は原石の状態で−２０〜−２００mmｖの電気を帯びている。黒曜石４８は水中ではマイナスの電子を帯びる。本発明で使用する黒曜石は、１００°Ｃ以上で加熱したものを使用するのが望ましい。例えば、黒曜石を沸騰した水に入れて加熱かつ加圧したものを使用する。
第１岩石収納器１２並びに第２岩石収納器１４の内部に収容される黒曜石や水晶等の岩石４８の大きさは、水の通過流量を落とさない程度に、例えば５ｍｍ〜５０ｍｍ粒程度にするのが望ましい。
第１岩石収納器１２並びに第２岩石収納器１４の内部には、黒曜石か水晶の少なくとも１つの岩石４８だけでも良いが、岩石４８の他にアルミニウム，ステンレス，金または銀のうちの少なくとも１つの金属５０を重量比０．００１％以上の割合で加えても良い。
【００１２】
図２に示すように、第１岩石収納器１２並びに第２岩石収納器１４の入口には、ノズルや絞り等の噴射手段５２を備え、水を勢いよく第１岩石収納器１２や第２岩石収納器１４の内部に噴射するのが望ましい。
図１に示すように、岩石収納器を第１岩石収納器１２と第２岩石収納器１４の２個の容器に分けたが、１個にまとめても良く、あるいは３個以上の容器を直列に連結するようにしても良い。
【００１３】
次に、活性水素を有する水の製造装置について説明する。
先ずタンク１０内に水を満たした状態で、ポンプ４２を駆動させ、タンク１０内の水を導入管１６から第１岩石収納器１２内に導入する。第１岩石収納器１２内に至った水はその内部の黒曜石か水晶の少なくとも１つの岩石４８（または岩石４８とアルミニウム等の金属５０との混合物）を通過し、その後、中間管１８を経由して第２岩石収納器１４内に至る。その第２岩石収納器１４内に至った水はその内部の岩石４８（または岩石４８と金属５０との混合物）を通過し、その後、戻し管２０を経由してタンク１０内に戻る。
ポンプ４２の始動時に第１岩石収納器１２内や第２岩石収納器１４内に水が入っていない場合や、タンク１０から取出手段４６によって水を外部に排出した場合には、タンク１０内のフロート３４が下降して第一開閉弁３６が第一導入手段２２を開き、第二開閉弁３８が第二導入手段２４を開き、それら第一導入手段２２や第二導入手段２４からタンク１０内に水が導入される。
【００１４】
タンク１０と第１岩石収納器１２と第２岩石収納器１４とに水が満たされた状態で、ポンプ４２を駆動させて、水をタンク１０と第１岩石収納器１２と第２岩石収納器１４との順に循環させる。このように、水を岩石４８（または岩石４８と金属５０との混合物）を１時間乃至３時間循環させる（循環時間が長ければ長いほど良い）。ここで、水として水道水を使用した場合に、１時間乃至３時間の循環によって、活性水素が０．００６μｇ／ｌ以上含む水が得られた。ノルデの水の活性水素は、０．０３１μｇ／ｌであることから、本発明の水に含まれる活性水素は、ノルデの水までは至らないが、それに近いものであることは明らかである。
タンク１０内に収容される水は、岩石４８（または岩石４８と金属５０との混合物）を循環させる回通が多ければ多い程良い。しかし、半永久に水を循環しても経済効率が悪いので、例えば１０回などのように適当な回数だけ水を循環させてその循環を停止する。適当な回数だけ水を循環させるためのポンプ４２の駆動時間は制御手段４４で制御する。
【００１５】
タンク１０と第１岩石収納器１２と第２岩石収納器１４との順に循環させる水は、飲料に適した水であればどのような水でも構わない。一般には、水道水や鉱泉水や、電気分解によって得られたアルカリイオン水等が考えられる。水道水のようにパイプやホースで連結されるものは、第一導入手段２２からタンク１０内に導入される。鉱泉水やアルカリイオン水やその他の特殊な水は、容器２６に収納され、第二導入手段２４からタンク１０内に導入される。
【００１６】
水を循環させればさせる程、活性水素が増える。ここで、第１岩石収納器１２並びに第２岩石収納器１４に岩石４８のみを入れ、水道水のようなｐＨが７である水において循環回数を増加させると、ｐＨが６近くに振れるおそれがある。酸性側でｐＨの数値が低くなるのを避けるために、岩石４８に金属５０を混合させることが望ましい。金属５０を混合させることによって、ｐＨが６．５程度に上がり、飲料用により適する水となる。
アルカリイオン水を用いる場合には、ｐＨの数値が低くなってもｐＨは７以上を保持できる。
【００１７】
本発明のタンク１０内に導入する水を、特殊な水とすることによって、活性水素が更に増加させることができる。
ここで、特殊な水の製造例を図３に示す。図３において、水は第１の軟水生成器５４と第２の軟水生成器５６とイオン生成器５８と岩石収納器６０の順を経て取り出されるものである。
第１の軟水生成器５４と第２の軟水生成器５６は、その内部に粒状のイオン交換樹脂６２を大量に収納するものである。イオン交換樹脂６２を収納する容器を２つに分けたのは、イオン交換反応を促進させるためであるが、２つの軟水生成器５４，５６を１つにまとめて、１つの軟水生成器にすることも可能である。
【００１８】
イオン交換樹脂６２は、水に含まれているＣａ2+やＭｇ2+やＦｅ2+等の金属イオンを除去して、水を軟水にするためのものである。イオン交換樹脂６２としては、例えば、スチレン・ジビニルベンゼンの球状の共重合体を均一にスルホン化した強酸性カチオン交換樹脂（ＲｚＳＯ3 Ｎａ）を用いる。水（Ｈ2 Ｏ）がイオン交換樹脂６２を通ることによって、水からは水酸化イオン（ＯＨ- ）とヒドロニウムイオン（Ｈ3 Ｏ+ ）とが発生する。イオン交換樹脂３２として強酸性カチオン交換樹脂（ＲｚＳＯ3 Ｎａ）を用いることによって、ナトリウムイオン（Ｎａ+ ）が発生する。イオン交換樹脂３２は、Ｎａ+ 以外のものが発生するものであっても構わないが、Ｎａ+ を発生するものの方が好ましい。
水が水道水であれば、その水道水の中にはＣａ2+やＭｇ2+やＦｅ2+等の金属イオンの他に塩素が含まれているが、水道水がイオン交換樹脂３２を通ることによって、この塩素には何も変化が生じない。
【００１９】
次に、イオン生成器５８の内部には、粒状のトルマリン６４と金属６６とを収納する。トルマリンは、プラスの電極とマイナスの電極とを有するもので、このプラスの電極とマイナスの電極によって、水に４〜１４ミクロンの波長の電磁波を持たせ、かつ水のクラスターを切断してヒドロニウムイオン（Ｈ3 Ｏ+ ）を発生させるためのものである。
ここで、トルマリン６４とは、トルマリン石を細かく砕いたものであっても良いが、トルマリンとセラミックと酸化アルミニウム（銀を含むものもある）との重量比を約１０：８０：１０とするトルマリンペレットと呼ばれるトルマリン混合体であっても良い。このトルマリンペレットに含まれるセラミックは、プラスの電極とマイナスの電極を分離しておく作用をする。
【００２０】
前記金属６６としては、アルミニウム、ステンレス、銀の少なくとも１種類の金属を用いる。この金属６６としては、金属６６としては、水中で錆を発生させたり水に溶けたりしない金属が望ましく、更に人体に悪影響を及ぼさないものが望ましい。また、これらの金属６４は、殺菌作用や抗菌作用を有する。
前記トルマリン６４と金属６６との重量比は、１０：１〜１：１０程度が望ましい。
水をトルマリンに噴射してトルマリンを攪拌することによってトルマリンと水とに摩擦が生じ、電極が水に溶け出して水のクラスターを切断し、ヒドロニウムイオン（Ｈ3 Ｏ+ ）が大量に発生する。
【００２１】
トルマリン６４にはプラス電極とマイナス電極とがあるため、トルマリンが水で攪拌されると、水（Ｈ2 Ｏ）は水素イオン（Ｈ+ ）と水酸化イオン（ＯＨ- ）とに解離する。
Ｈ2 Ｏ  →  Ｈ+   ＋  ＯＨ-     ……(1)
更に、水素イオン（Ｈ+ ）と水（Ｈ2 Ｏ）とによって、界面活性作用を有するヒドロニウムイオン（Ｈ3 Ｏ+ ）が発生する。このヒドロニウムイオン（Ｈ3 Ｏ+ ）の発生量は、前記イオン交換樹脂６２によって発生する量よりはるかに多い量である。
Ｈ2 Ｏ  ＋  Ｈ+   →  Ｈ3 Ｏ+     ……(2)
このヒドロニウムイオン（Ｈ3 Ｏ+ ）の一部は、水（Ｈ2 Ｏ）と結びついてヒドロキシルイオン（Ｈ3 Ｏ2-）と水素イオン（Ｈ+ ）になる。
Ｈ3 Ｏ+   ＋  Ｈ2 Ｏ  →  Ｈ3 Ｏ2-  ＋  ２Ｈ+     ……(3)
イオン交換樹脂６２を通過した水を、イオン生成器５８を通過させることによって、水の内部にヒドロニウムイオン（Ｈ3 Ｏ+ ）とヒドロキシルイオン（Ｈ3 Ｏ2-）とＨ+ とＯＨ- とが発生する。
【００２２】
イオン生成器５８を通過した水を、次に、マイナス電子を帯びている岩石６８を収納する岩石収納器６０の内部を通過させる。マイナス電子を帯びている岩石６８としては、現在知られているものとして黒曜石や真珠岩や松脂岩がある。黒曜石や真珠岩や松脂岩以外でも、マイナス電子を帯びている岩石であれば採用することができる。
これら黒曜石や真珠岩や松脂岩は、原石の状態で−２０〜−２００mmｖの電気を帯びている。
【００２３】
この岩石収納器６０の内部に、イオン生成器５８を通過を通過した水を通過させるると、水にｅ- （マイナス電子）が加えられる。この結果、水道水に含まれている塩素（Ｃｌ）はマイナス電子によって、塩素イオンとなる。
Ｃｌ  ＋  ｅ-   →  Ｃｌ-       ……(4)
このＣｌ- と前記Ｎａ+ とはイオンとして安定した状態になる。安定した状態とは、蒸発することなくイオン状態が長期間保たれることを意味する。また、前記ヒドロキシルイオン（Ｈ3 Ｏ2-）もイオンとして安定した状態になる。
水が岩石６８を通過することによって、イオン生成器５８を通過した水と比べて、ヒドロニウムイオン（Ｈ3 Ｏ+ ）が更に発生し、かつヒドロキシルイオン（Ｈ3 Ｏ2-）も更に発生する。
Ｈ2 Ｏ  ＋  Ｈ+   →  Ｈ3 Ｏ+     ……(2)
Ｈ3 Ｏ+   ＋  Ｈ2 Ｏ  →  Ｈ3 Ｏ2-  ＋  ２Ｈ+     ……(3)
水が岩石６８を通過することによって、その他に、以下の反応も発生する。
ＯＨ-   ＋  Ｈ+   →  Ｈ2 Ｏ    ……(5)
２Ｈ+   ＋  ２ｅ-   →  ２Ｈ2   ……(6)
更に、水が岩石収納器６０を通過すると、岩石６８のマイナス電子によって、水の酸化還元電位が＋３４２mmｖから−２０〜−２００mmｖになる。
【００２４】
以上のように、水を先ずイオン交換樹脂６２に通過させ、次にトルマリン６４と金属６６とに通過させ、最後に岩石６８を通過させた水（以下、この水を“創生水”とする）には、Ｎａ+ と、Ｃｌ- と、Ｈ+ と、ＯＨ- と、ヒドロニウムイオン（Ｈ3 Ｏ+ ）と、ヒドロキシルイオン（Ｈ3 Ｏ2-）とが存在する。また、この創生水は、そのエネルギは０．００４ｗａｔｔ／ｃｍ2 である４〜１４ミクロンの波長の電磁波を有し、−２０〜−２００mmｖの酸化還元電位を有する。
【００２５】
創性水は、図４に示すように、水を第１の軟水生成器５４と第２の軟水生成器５６と岩石収納器６０とイオン生成器５８の順に通過させて得ることもできる。また、図３並びに図４において、第１の軟水生成器５４と第２の軟水生成器５６とを用いずに、トルマリン６４と金属４８とを内蔵するイオン生成器５８と岩石６８を内蔵する岩石収納器６０とを、その順にあるいは入れ替えて直列に連結したものから得ることができる。
【００２６】
創性水を用いて本発明の装置で循環させた場合には、活性水素が０．１２μｇ／ｌ以上になった。即ち、本発明の装置で製造した水は、ノルデの水よりも活性水素を多く含むものである。創性水のｐＨは７．５であるが、その創性水を黒曜石４８のみに通して何度も循環させた後は、ｐＨが６．８となっていた。このｐＨは飲料水として適度なものである。
通常の水道水を使用した場合と、創性水を使用した場合とでは、岩石４８の交換（または洗浄時期）に至るまでの使用期間は、創性水を使用した場合の方が３倍程度長いものであった。
【００２７】
【発明の効果】
以上のように、本発明に係わる活性水素を有する水の製造方法及び製造装置によれば、黒曜石か水晶の少なくとも１つから構成される岩石に何度も水を循環させることによって、その水に大量の活性水素を含ませることができる。
タンクと岩石を収納した岩石収納器との間で水を循環させることによって、少量の岩石を使用して活性水素を有する水を作ることができ、経済的である。
トルマリンとアルミニウム，ステンレス及び銀のうちの少なくとも１つから成る金属とを混在させたものと、黒曜石，真珠岩及び松脂岩のうちの少なくとも１つから成る岩石とを、順不同に通過させた水を使用することによって、更に活性水素を多く含む水を作ることができる。
【図面の簡単な説明】
【図１】本発明に係る活性水素を有する水の製造装置の一実施形態を示す構成図である。
【図２】図１に示す製造装置に用いる岩石収納器の断面図である。
【図３】図１に示す水の製造装置に用いる水を製造するための装置の構成図である。
【図４】図３に示す水の製造装置の他の実施例を示す構成図である。
【符号の説明】
１０  タンク
１２  第１岩石収納器
１４  第２岩石収納器
１６  連絡管
２０  戻し管
２２  第一導入手段
２６  第二導入手段
３４  フロート
３６  第一開閉弁
３８  第二開閉弁
４２  ポンプ
４４  制御手段
４６  取出手段
４８  黒曜石か水晶の少なくとも１つから構成される岩石
５０  金属
６２  イオン交換樹脂
６４  トルマリン
６６  金属
６８  岩石
【図１】
0004113964.tif 000002
【図２】
0004113964.tif 000003
【図３】
0004113964.tif 000004
【図４】
0004113964.tif 000005